(57)【要約】【課題】  車載ＰＥＦＣの実使用条件下において、残留アンモニア濃度を数ｐｐｍのオーダーに低減した改質ガスを供給することが可能な水素生成装置を提供する。【解決手段】  液化アンモニアを貯蔵するアンモニア貯蔵容器と、アンモニア貯蔵容器に接続され、液体アンモニアを気化させる気化器と、気化器により気化されたアンモニアガスを昇温させる昇温器と、ニッケル／アルミナ触媒を収容し、昇温器から供給されるアンモニアガスを８００℃〜９００℃で分解し、水素及び窒素を主成分とする改質ガスを生成する改質器と、改質ガス中のアンモニアを水中に溶解除去するアンモニア除去器とを備える。【選択図】  図７
2005145748.tif 000002
【特許請求の範囲】
【請求項１】
液化アンモニアを貯蔵するアンモニア貯蔵容器と、
前記アンモニア貯蔵容器に接続され、液体アンモニアを気化させる気化器と、
前記気化器により気化されたアンモニアガスを昇温させる昇温器と、
ニッケル／アルミナ触媒を収容し、前記昇温器から供給されるアンモニアガスを８００℃〜９００℃で分解し、水素及び窒素を主成分とする改質ガスを生成する改質器と、
前記改質ガス中のアンモニアを水中に溶解除去するアンモニア除去器とを備えることを特徴とする水素生成装置。
【請求項２】
前記アンモニア除去器は、水中に前記改質ガスを潜らせることによりアンモニアを溶解除去するバブリング水槽であることを特徴とする請求項１に記載の水素生成装置。
【請求項３】
前記アンモニア除去器から排出されるアンモニア溶解水を加熱してアンモニアを蒸発させる蒸発器を更に備えることを特徴とする請求項２に記載の水素生成装置。
【請求項４】
前記蒸発器に接続され、アンモニアを圧縮液化する圧縮ポンプを更に備えることを特徴とする請求項３に記載の水素生成装置。
【請求項５】
前記気化器、昇温器が、前記改質ガスとの熱交換によりアンモニアの気化、昇温を行うことを特徴とする請求項１〜４のいずれか一項に記載の水素生成装置。
【発明の詳細な説明】
【技術分野】
【０００１】
本発明は、アンモニアを原料として、主として燃料電池の燃料として使用される水素を生成するための水素生成装置に関し、特に、固体高分子型燃料電池（ＰＥＦＣ）での使用に適するアンモニア濃度が低減された水素を生成することができる水素生成装置に関する。
【背景技術】
【０００２】
ＣＯＰ３（地球温暖化防止会議／京都議定書）などで地球温暖化の主要な原因とされている二酸化炭素を大量に排出する自動車からの排出量削減が急務とされている。また、石油エネルギーの枯渇が懸念される中、石油の代替エネルギーについても考慮しなければならない。
【０００３】
こうした状況の中で、理想的なクリーンエネルギー源として水素が注目されており、水素を燃料として使用する燃料電池自動車の実用化が検討されている。
【０００４】
しかし、水素は取り扱いが困難な物質であり、液体状態での貯蔵運搬には、超高圧ボンベや−２５０度以下の極低温に保冷できる容器を使用することが必要である。
【０００５】
水素を安全かつ簡便に貯蔵運搬する目的で水素吸蔵合金の開発も進められているが、単位重量当たりの水素吸蔵量が小さいため、実用化には至っていない。また、貯蔵運搬性に優れるメタノールを水素源として使用することも検討されているが、メタノールはその改質反応において二酸化炭素を生成してしまうという問題がある。
【０００６】
これに対して、アンモニアは、貯蔵運搬性に優れ、燃料ステーションや輸送タンクローリーなどのインフラとして既存のＬＰＧ用の設備を転用できる利点があり、表１にその物性値を示す通り、単位質量、及び、単位体積当たりのエネルギー密度はメタノールと遜色のない値であり、更に、アンモニアは、水素原子、及び、窒素原子のみから構成されているために、その分解反応において二酸化炭素などの有害物質を排出しない点で、最も優れる水素供給源であると考えられる。
【表１】
2005145748.tif 000003
【０００７】
また、ＩＦＡ（International Fertilizer Industry Association）の１９９９年の調査結果によると世界のアンモニア製造能力は、１９９８年度は１億５２００万ｔであり、すでに成熟した製造体制を有しているということができる。
【０００８】
アンモニア製造には、現状では、主として軽炭化水素系のナフサやＧＴＬ、ＬＰＧ等の天然ガスが使用されており、アンモニア１０００ｔの製造には３２ｋＷｈの電力と２７．２１ＧＪ（ＬＨＶ）の原料天然ガスが必要とされているものの、廃プラスチックからのアンモニア原料の製造、下水処理場からのアンモニアの回収、太陽光を用いたアンモニアの光合成、風力発電などによる水の電解によるアンモニア製造など、より低コストで有害な副生成物を生じないアンモニア製造方法の検討も行われており、これらの問題も今後クリアされていくものと考えられる。
【非特許文献１】F. Uribe, et. al.,  "Effect of Ammonia as Potential Fuel Impurity on Proton Exchange Membrane Fuel Cell Performance", Journal of The Electrochemical Society, 149, 2002.
【発明の開示】
【発明が解決しようとする課題】
【０００９】
アンモニアの分解反応は、平衡反応であるため、生成した改質ガス中には未反応の残留アンモニアが含有されている。また、本発明者らの研究によると、改質器への原料アンモニアガスの供給速度を大きくする程、残留アンモニア濃度は増大することが分かっている。
【００１０】
一方、アンモニアは高濃度では人体に悪影響を与える有毒性のガスであり、米国政府衛生学者会議（ACGIH）によると、アンモニアの人体に対する許容値は２５ｐｐｍとされている。従って、高濃度の残留アンモニアを含む改質ガスを燃料電池の燃料ガスとして使用した場合には、その排ガス中にアンモニアが含まれることになり、好ましくないという問題がある。
【００１１】
また、現在、車載用燃料電池として実用化が有力視されている固体高分子形燃料電池（ＰＥＦＣ）に関しては、燃料ガス中のアンモニア濃度が１３ｐｐｍの場合には、１時間後に出力電流が低下することが報告されている（F. Uribe, et. al.,  "Effect of Ammonia as Potential Fuel Impurity on Proton Exchange Membrane Fuel Cell Performance", Journal of The Electrochemical Society, 149, 2002.）。
【課題を解決するための手段】
【００１２】
本発明は、上記の状況に鑑み、車載ＰＥＦＣの実使用条件下において、ＰＥＦＣに供給する改質ガス中の残留アンモニア濃度を数ｐｐｍのオーダーに低減し、人体への悪影響や出力電流の低下などを生じることのない水素生成装置を実現したものであり、液化アンモニアを貯蔵するアンモニア貯蔵容器と、前記アンモニア貯蔵容器に接続され、液体アンモニアを気化させる気化器と、前記気化器により気化されたアンモニアガスを昇温させる昇温器と、ニッケル／アルミナ触媒を収容し、前記昇温器から供給されるアンモニアガスを８００℃〜９００℃で分解し、水素及び窒素を主成分とする改質ガスを生成する改質器と、前記改質ガス中のアンモニアを水中に溶解除去するアンモニア除去器とを備えることを特徴とする水素生成装置である。
【００１３】
即ち、本発明は、安価なニッケル／アルミナ触媒の使用を前提とし、水中への溶解方式のアンモニア除去器との組み合わせにより、数ｐｐｍの残留アンモニア濃度の実現を可能とするために、改質器におけるアンモニア分解反応の温度を８００℃〜９００℃とした点に特徴を有するものである。
【００１４】
本発明のアンモニア貯蔵容器は、アンモニアを液体状態で貯蔵するものであるが、アンモニアは、０．８４６ＭＰａで圧縮液化されるため、ＬＰＧとほぼ同じ仕様の高圧タンクを使用することができる。
【００１５】
また、本発明の気化器は、液体アンモニアを加熱してアンモニアを気化するものであり、当該気化のための熱源は、電気加熱式のヒーターと、改質器から排出される改質ガスとの熱交換を行う熱交換手段との併用とすることが可能であり、運転開始時にはヒーターの加熱により、また、運転中は改質器からの改質ガスの熱量により気化を行うことで、エネルギーの有効利用を図ることが可能である。
【００１６】
更に、本発明の水素生成装置を燃料自動車に搭載して使用する場合には、アンモニアの気化潜熱をエアーコンディショナーの冷却用に使用することも可能であり、この場合には、エアーコンディショナー用の車載コンプレッサーを不要とすることが可能となる。
【００１７】
また、本発明の昇温器は、気化されたアンモニアを予備加熱して改質器に供給するものであり、予備加熱のための熱は、改質器からの改質ガスとの熱交換により得るものとすることが可能であり、これにより、エネルギーの有効利用を図ることが可能である。
【００１８】
本発明の改質器は、アンモニア分解の反応触媒として安価なニッケル／アルミナを使用するものである。
【００１９】
車載可能な改質器のサイズを考慮すると、改質器に収容できるニッケル／アルミナ触媒の最大量は、嵩体積で１０Ｌのオーダーであると考えられるが、本発明では、アンモニア改質反応の温度を８００℃〜９００℃に設定とすることで、１０Ｌのオーダーのニッケル／アルミナ触媒を収容する改質器を使用して、残留アンモニア濃度を増加させることなく、車両走行に十分な量の水素を供給することを可能にしたものである。
【００２０】
また、本発明のアンモニア除去器は、改質器から排出された改質ガス中のアンモニアを水中に溶解することにより除去するものである。なお、アンモニアの水中への溶解は、改質ガスと水の接触面積を十分に大きくできる任意の方式により行うことが可能であり、例えば、改質ガスをバブリング方式で水中を潜らせるバブリング水槽を使用することが可能である。
【００２１】
なお、本発明の水素生成装置は、アンモニア除去器から排出されるアンモニア溶解水を加熱、乃至は、減圧させてアンモニアを蒸発させる蒸発器を更に備えることが可能であり、これにより、アンモニア除去器の水を循環利用することが可能となる。
【００２２】
また、本発明の水素生成装置は、蒸発器に接続され、アンモニアを圧縮液化する圧縮ポンプを更に備えることが可能であり、これにより、改質ガス中の残留アンモニアを回収利用することが可能となる。
【発明を実施するための最良の形態】
【００２３】
水素１ｍｏｌを酸素で燃焼させると、標準状態で−ΔH＝２８６ｋＪ／ｍｏｌの燃焼熱が発生する。このエンタルピー変化ΔＨは、ギブス自由エネルギー変化ΔＧ、反応の標準エントロピー変化ΔＳ、絶対温度Ｔを用い、ΔＨ＝ΔＧ＋ＴΔＳで表わされる。
【００２４】
燃料電池では、電気エネルギーに変換できるのは、ギブス自由エネルギーΔＧに相当するエネルギーであり、ＴΔＳに相当するエネルギーは熱となる。水素燃焼のギブス自由エネルギー変化ΔＧは、２３７．３ｋＪ／ｍｏｌであるので、水素−酸素燃料電池の理想発電効率は、ΔＧ／ΔＨ＝８２．９％である。
【００２５】
従って、水素１ｇ当たりのエンタルピーは、１１８．６５ｋＪ／ｇであり、アンモニア１ｇ当たりのエンタルピーは、２０．９４ｋＪ／ｇであることになる。
【００２６】
一方、アンモニアを水素と窒素に分解する際の分解エネルギーは、１ｍｏｌ当たり、約４６ｋＪ／ｍｏｌであり、アンモニア１ｇを水素解離するためには、２．７１ｋＪ／ｇの熱量を要することになり、アンモニア１ｇ当たりの使用可能なエンタルピー（エネルギー密度）は、１８．２３ｋＪ／ｇである。
【００２７】
現在までに公表されている最大出力の燃料電池は、は米ゼネラルモーターズ社（ＧＭ）が２００１年に発表した最大出力１０２ｋＷの自動車用固体高分子型燃料電池（ＰＥＦＣ）である。
【００２８】
このＧＭ製ＰＥＦＣの最大出力を得るためには、１０２ｋＷ（＝１０２ｋＪ／ｓｅｃ）／１８．２３ｋＪ／ｇ＝５．５９ｇ／ｓｅｃ、即ち、２８９４０Ｌ／ｈｏｕｒのアンモニア流量が必要であり、車載可能な触媒の嵩体積として１０Ｌを想定すると、アンモニアの改質器内の空間速度（ＳＶ：２５℃の標準状態のアンモニアの体積流量を触媒の嵩体積（Ｌ）で除した値）としては、最大、２８９４０Ｌ／ｈｏｕｒ／１０Ｌより、約３０００／ｈｏｕｒでアンモニアの改質を行う必要があることが判る。
【００２９】
図１は、水素燃料電池自動車への燃料源として本発明の水素生成装置を使用した場合の有効性を実証するための実験機として製作された、本発明の一実施形態に係る水素生成装置１である。
【００３０】
図示されるように、ボンベ２に収容される０．８４６ＭＰａの液化アンモニアは、レギュレーター３により圧力調整されて減圧され、流量調整用のニードルバルブ４を経て、最高８２０℃まで昇温可能とされたヒーター６を備える加熱シェル５に導かれる。
【００３１】
なお、ニードルバルブ４の周辺の配管には、アンモニアの潜熱によるガス温度低下を防止し、ガス温度を一定温度（２０℃）として流量変動を防ぐためにリボンヒーター４ａが設けられている。
【００３２】
加熱シェル５で昇温されたアンモニアガスは、粒径１０ｍｍ程度の球状のニッケル／アルミナ触媒１１が収容される改質器７に導かれ、水素と窒素を主成分とする改質ガスに分解される。
【００３３】
ここで、改質器７内のアンモニアガスの温度は、９００℃まで昇温可能とされたヒーター８により調整可能とされており、改質器７に送られるアンモニアガスの圧力、及び、改質器７内のアンモニアガスの温度は、それぞれ、圧力計９、及び、温度計１０によりモニターされる。
【００３４】
改質器７から排出された改質ガスは、冷却槽１２にて冷却され、レギュレーター１３で常圧に調整された後、精製水中で改質ガスをバブリングさせることにより改質ガス中のアンモニアを溶解除去するアンモニア除去器１４に送られる。
【００３５】
アンモニア除去器１４から排出された改質ガスは、窒素ガス１６により希釈された後、ＦＴ−ＩＲ分析器１７、ＧＣアナライザ１８により、残留アンモニア濃度、及び、水素、窒素濃度の測定が可能とされ、また、アンモニア除去器１４の水はサンプリングされて、ＰＨ測定器１９によりＰＨ測定が可能とされている。
【００３６】
なお、レギュレーター１３とアンモニア除去器１４の間には、分岐バルブ１５が設けられ、アンモニア除去器１４を経ない改質ガスを直接ＦＴ−ＩＲ分析器１７、ＧＣアナライザ１８に導いて、残留アンモニア、水素、窒素の各濃度の比較測定が可能になっている。
【００３７】
図２、３は、図１に示す水素生成装置において、改質器７内のアンモニアガスの温度、及び、圧力を４００℃〜８００℃、及び、１００〜５００ｋＰａの範囲で変動させたときのアンモニア除去器１４を経ない改質ガス中の水素、窒素、及び、残留アンモニア濃度の計測結果を示している。
【００３８】
アンモニア改質の平衡計算によれば、４００℃以上から安定的に改質が行われる筈であるが、図２から、実際には４００℃では殆ど改質は行われず、７００℃以上の温度において、ほぼ完全な改質が行われることが分かる。
【００３９】
また、図３から、アンモニアガスが高温、低圧である程、残留アンモニア濃度が低減することが分かる。
【００４０】
次に、改質器７中の触媒量、及び、アンモニア流量を調整することにより、空間速度ＳＶを６００／ｈｏｕｒ〜６０００／ｈｏｕｒの範囲で変化させ、アンモニア除去器１４を経ない改質ガス中の残留アンモニア濃度の空間速度に対する推移を計測した結果を図４、５に示す。
【００４１】
図４、５から、反応温度７００℃では、ＳＶが１８００／ｈｏｕｒ以上において残留アンモニア濃度が１００００ｐｐｍを越えているのに対し、反応温度８００℃では、実車仕様において必要と考えられる３０００／ｈｏｕｒを大幅に上回る空間速度においても、残留アンモニア濃度は、３００ｐｐｍ以下で安定であることが分かる。
【００４２】
また、図６は、反応温度８００℃でアンモニア改質を行い、水温を２５℃に保ったアンモニア除去器１４を通過させた改質ガスの残留アンモニア濃度の測定結果である。
【００４３】
図６から、反応温度８００℃であれば、空間速度に関わらず、１０分以上に渡って、残留アンモニア濃度は数ｐｐｍ以下のオーダーに留まっていることが分かる。
【００４４】
また、残留アンモニア濃度の時間による上昇は、アンモニア除去器１４の精製水中のアンモニア濃度の上昇によるものであるため、別途精製水中のアンモニアを蒸発させる蒸発器を設け、当該蒸発器とアンモニア除去器１４の間で精製水を循環させるなどにより精製水中のアンモニア濃度をコントロールすることで、より長時間の連続運転においても、改質ガス中の残留アンモニア濃度を数ｐｐｍ以下のオーダーに保つことが可能である。
【００４５】
なお、上記の通り、反応温度を高温にする程、改質ガス中の残留アンモニア濃度は低減されることになるが、改質器の高耐熱仕様化によるコスト増を考慮すると、反応温度を９００℃以上に設定することは好ましくない。
【００４６】
図７は、本発明の他の実施例に係る水素生成装置であり、実車搭載仕様に設計された水素生成装置３０の構成を示す説明図である。
【００４７】
図中３１は、液化アンモニアを常温、０．８４６ＭＰａで貯蔵する容量８０Ｌのアンモニア貯蔵容器である。
【００４８】
容量８０Ｌのアンモニアは、重量に直すと５４．０８ｋｇであり、上記ＧＭ製ＰＥＦＣの最大出力運転時のアンモニア消費量が５．５９ｇ／ｓｅｃであることから、上記アンモニア貯蔵器３１中のアンモニア量は、最大出力で２．７時間連続供給が可能な量に相当し、時速８０ｋｍ／ｈを想定した場合でも、航続距離は２１６ｋｍとなり、定常走行でのアンモニア消費量は最大出力の場合の数十％で済むことから、現在のガソリン自動車と同等、或いは、それ以上の長距離走行が可能と考えられる。
【００４９】
図示されるように、アンモニア貯蔵容器３１内の液化アンモニアは、配管３２により、レギュレーター３３を経て気化器３４に導かれる。
【００５０】
気化器３４中の配管３２は、後述の改質器３９からの配管４１と熱接触を保った状態でガス流が相互に対向する方向で配置されており、配管３２中のアンモニアは、約１５０℃で気化器３４に導かれる配管４１中の改質ガスの熱により、０．１ＭＰａ、２０℃のアンモニアガスに減圧、気化される一方、配管４１中の改質ガスは、約１００度に冷却されるようになっている。
【００５１】
また、気化器３４には、始動時における気化安定化のために必要な約０．５７６ｋＷの熱量を発生させるためのヒーター３５が設けられている。
【００５２】
また、図中の３６はエアーコンディショナー用の気化経路であり、エアーコンディショナー３８使用時にＮＣ（Normally Closed）バルブ３７を切り替えて、アンモニアの気化潜熱をエアーコンディショナー３８の冷却に利用できるようになている。
【００５３】
気化器３４で気化されたアンモニアガスは、更に配管３２中を昇温器３６に導かれる。
【００５４】
昇温器３６においても配管３２は、改質器３９からの配管４１と対向方向に熱接触を保った状態で配置されており、配管３２中のアンモニアは、約８００℃で昇温器３６に導入される配管４１中の改質ガスの熱により、約６７０℃まで昇温される一方、配管４１中の改質ガスは、これにより約１５０度に冷却されるようになっている。
【００５５】
昇温器３６で昇温されたアンモニアガスは、粒径１０ｍｍ程度の球状のニッケル／アルミナ触媒を１０Ｌ収容する改質器３９に導かれ、約１．４９８ｋＷの熱量を発生させるヒーター４０により、８００℃まで昇温された状態で、水素、及び、窒素を主成分とし、残留アンモニア濃度が３００ｐｐｍ以下の改質ガスに分解される。
【００５６】
なお、始動時においては、昇温器３６における予備加熱が行われないため、８．９８９ｋＷの熱量を改質器３９のヒーター４０により発生させことが必要である。
【００５７】
改質ガスは、改質器３９から配管４１に導出され、昇温器３６、気化器３４を経る間に１００℃まで降温され、更に、２０℃〜３０℃に温度調整されたバブリング水槽よりなるアンモニア除去器４２においてアンモニアが除去され、残留アンモニア濃度が数ｐｐｍのオーダーとされた改質ガスが、最大出力１０２ｋＷのＧＭ製ＰＥＦＣ４３に供給される。
【００５８】
ＰＥＦＣ４３は、改質ガス中の水素を大気中の酸素と反応させて発電を行い、定格８５ＫＷの電気モーター４４に電力を供給する。また、ＰＥＦＣ４３で発電された余剰電力は、バッテリー４５において蓄電され、ヒーター３５、４０などにおいて使用される。
【００５９】
なお、ＰＥＦＣ４３の発電において副成される水は、貯水タンク４６に導かれるようになっており、必要に応じてアンモニア除去器４２、及び、ＰＥＦＣ４３の給水に使用され、反応に寄与しない窒素は、排ガスとして系外に排出される。
【００６０】
また、アンモニア除去器４２には、蒸発器４７との間で精製水を循環させるための配管４８、４９が接続されている。
【００６１】
蒸発器４７では、自動車用ヒーターの熱を利用して精製水を４０℃〜１００℃に昇温することで精製水中のアンモニアを蒸発除去するようにされており、これにより、アンモニア除去器４２内の精製水を常に所定値以下のアンモニア濃度に保つようになっている。
【００６２】
蒸発器４７において発生したアンモニアガスは、圧縮ポンプ５０において０．８４６ＭＰａ以上に加圧液化され、逆止弁５１を介してアンモニア貯蔵容器３１に戻すようにされており、これにより、系外への有害物質の排出が極力抑制されたゼロ・エミッション・システムとされている。
【００６３】
なお、上記した実施形態において示したＰＥＦＣや電気モータの特性値、触媒の形状、粒径、その他の諸条件は、説明のための例として示したものであり、本発明の水素生成装置は、特許請求の範囲に限定のないこれらの諸条件に限定されるものではない。
【００６４】
また、上記した実施形態では、特に残留アンモニアにより出力電流の低下が問題となるＰＥＦＣへの利用を前提に説明を行ったが、排ガスなどにおけるアンモニア濃度の低減は全ての燃料電池において共通の課題であり、本発明の水素生成装置は、アルカリ型（ＡＦＣ）や固形酸化物型（ＳＯＦＣ）など、他の種類の水素燃料電池の水素供給源として使用することが可能である。
【００６５】
同様に、本発明の水素生成装置は、水素を燃料とする内燃機関など、燃料水素中のアンモニア濃度を低減することが有益である他の種類の機関における水素供給源としても使用することが可能である。
【００６６】
また、上記した実施形態では、主として、現在最も高い関心を集めている自動車への応用を念頭において説明を行ったが、本発明の水素生成装置は、他のあらゆる用途における水素供給源としても同様に使用することができ、本発明の効果を発揮できるものである。
【図面の簡単な説明】
【００６７】
【図１】本発明の一実施形態に係る水素生成装置の構成を示す説明図である。
【図２】アンモニア改質反応時のアンモニアガスの温度、及び、圧力と残留アンモニア濃度の関係を示す特性図である。
【図３】アンモニア改質反応時のアンモニアガスの温度、及び、圧力と残留アンモニア濃度の関係を示す特性図である。
【図４】反応温度、空間速度と、残留アンモニア濃度の関係を示す特性図である。
【図５】反応温度、空間速度と、残留アンモニア濃度の関係を示す特性図である。
【図６】反応温度８００℃での改質ガスがアンモニア除去器を経た後の残留アンモニア濃度の時間推移を示す特性図である。
【図７】本発明の他の実施形態に係る水素生成装置の構成を示す説明図である。
【符号の説明】
【００６８】
１  水素生成装置
２  ボンベ
３  レギュレーター
４  ニードルバルブ
４ａ  リボンヒーター
５  加熱シェル
６  ヒーター
７  改質器
８  ヒーター
９  圧力計
１０  温度計
１１  アルミナ触媒
１２  冷却槽
１３  レギュレーター
１４  アンモニア除去器
１５  分岐バルブ
１６  窒素ガス
１７  分析器
１８  アナライザ
１９  測定器
３０  水素生成装置
３１  アンモニア貯蔵容器
３２  配管
３３  レギュレーター
３４  気化器
３５、４０  ヒーター
３６  昇温器
３７  バルブ
３８  エアーコンディショナー
３９  改質器
４１  配管
４２  アンモニア除去器
４３  ＰＥＦＣ
４４  電気モータ
４５  バッテリー
４６  貯水タンク
４７  蒸発器
４８、４９  配管
５０  圧縮ポンプ
５１  逆止弁
【図１】
2005145748.tif 000004
【図２】
2005145748.tif 000005
【図３】
2005145748.tif 000006
【図４】
2005145748.tif 000007
【図５】
2005145748.tif 000008
【図６】
2005145748.tif 000009
【図７】
2005145748.tif 000010